(57)【要約】【課題】バッテリの残量が少ないときに近接通信機能が正常に動作する可能性を高めること。【解決手段】１つの態様において、携帯電子機器１１は、近接通信部１１０と、近接通信部１１０が通信する際に用いる情報を記憶する記憶部１２１および１２２と、を備える。近接通信部１１０は、供給される電力の電圧に基づいて、記憶部１２１および１２２へのアクセスを制御される。【選択図】図１
2014082644.tif 000002
【特許請求の範囲】
【請求項１】
近接通信部と、
前記近接通信部が通信する際に用いる情報を記憶する記憶部と、を備え、
前記近接通信部は、供給される電力の電圧に基づいて、前記記憶部へのアクセスを制御される携帯電子機器。
【発明の詳細な説明】
【技術分野】
【０００１】
本出願は、近接通信機能を有する携帯電子機器に関する。
【背景技術】
【０００２】
近接通信機能を有する機器が知られている。例えば、特許文献１では、バッテリからの必要な電力供給がなくなった場合にだけ、セキュリティコントローラを低消費電力で動作するモードに制御し、外部からの電磁界電力により非接触認証および決済機能を確保する携帯通信端末装置が提案されている。
【先行技術文献】
【特許文献】
【０００３】
【特許文献１】特開２０１１−０３５７４９号公報
【発明の概要】
【発明が解決しようとする課題】
【０００４】
近接通信機能を有する機器では、供給される電力の電圧によっては、近接通信機能に関連する通信部、記憶部等の動作が不安定になり、近接通信機能が正常に動作しないおそれがあった。上記のことから、近接通信機能が正常に動作する可能性を高めることができる携帯電子機器に対するニーズがある。
【課題を解決するための手段】
【０００５】
１つの態様において、携帯電子機器は、近接通信部と、前記近接通信部が通信する際に用いる情報を記憶する記憶部と、を備え、前記近接通信部は、供給される電力の電圧に基づいて、前記記憶部へのアクセスを制御される。
【図面の簡単な説明】
【０００６】
【図１】図１は、第１の実施形態に係る携帯電子機器の構成を示すブロック図である。
【図２】図２は、低電圧検出部の動作を示すフローチャートである。
【図３】図３は、遅延回路を備えない場合における近接通信部の起動時の電圧降下の例を示す図である。
【図４】図４は、遅延回路を備える場合における近接通信部の起動時の電圧降下の例を示す図である。
【図５】図５は、第２の実施形態に係る携帯電子機器の構成を示すブロック図である。
【図６】図６は、動作周期の例を示す図である。
【図７】図７は、制御部の動作を示すフローチャートである。
【発明を実施するための形態】
【０００７】
本発明を実施するための実施形態を、図面を参照しつつ詳細に説明する。以下では、携帯電子機器の例として、携帯電話について説明する。
【０００８】
（実施形態１）
図１を参照しながら、第１の実施形態に係る携帯電子機器１１の構成について説明する。図１は、携帯電子機器１１の構成を示すブロック図である。携帯電子機器１１は、近接通信機能を有する携帯電話である。図１に示すように、携帯電子機器１１は、近接通信部１１０と、セキュア領域（記憶部）１２１および１２２と、バッテリ１３１と、制御部１４１と、電源管理部１４２と、ロック保持部１４３と、低電圧検出部１４４と、通信部１５１と、カメラ１５２と、低損失レギュレータ１６１および１６２と、遅延回路１７１および１７２とを含む。携帯電子機器１１は、一般的な携帯電話が備えるその他の要素を含んでもよい。
【０００９】
近接通信部１１０は、近接通信（非接触通信）を実現する。近接通信は、数センチ〜１メートル程度の近距離で行われる通信である。近接通信を実現するための技術は、例えば、ＮＦＣ（Near Field Communication）フォーラムにて仕様が策定された技術、その他のＲＦＩＤ（Radio Frequency IDentification）技術等を含む。近接通信部１１０は、例えば、電磁誘導により通信を行う。近接通信部１１０は、携帯電子機器１１の電源がＯＦＦのとき（制御部１４１等の他の機能部が停止しているとき）にも近接通信を行うことができるように構成されてもよい。
【００１０】
近接通信部１１０は、ベースバンド処理部１１１と、検波回路１１２と、アンテナ１１３と、スイッチ１１４とを含む。ベースバンド処理部１１１は、近接通信部１１０を制御する。ベースバンド処理部１１１は、ベースバンド処理等の近接通信のための各種信号処理を行う機能に加えて、スイッチ１１４を制御する機能を有する。検波回路１１２は、アンテナ１１３による信号の受信を検出する。アンテナ１１３は、機器２０等の近接通信に対応した他の機器との間で信号を送受信する。機器２０は、例えば、リーダ、ライタ、またはリーダ／ライタである。スイッチ１１４は、近接通信部１１０のロックを設定または解除する。ロックが設定されている場合、近接通信部１１０は、近接通信を行わず、セキュア領域１２１および１２２に対するアクセス（読み書き）も行わない。
【００１１】
セキュア領域１２１および１２２は、近接通信部１１０が通信する際に用いる信号（近接通信によってやりとりされる情報）を記憶する。セキュア領域１２１および１２２に記憶される情報は、例えば、認証のための情報、決定のための情報等を含む。セキュア領域１２１および１２２に記憶される情報は、例えば、暗号化技術によって、安全に保護される。セキュア領域１２１および１２２は、異なる場所に設けられてもよい。セキュア領域１２１および１２２は、それぞれ、近接通信専用の記憶デバイス、ＳＩＭ（Subscriber Identity Module）カード、各種のアプリやデータの記憶に用いられる本体メモリ、取り外し可能なメモリカード等のいずれの場所に設けられてもよい。
【００１２】
バッテリ１３１は、携帯電子機器１１の各部に電力を供給する。バッテリ１３１は、充電可能であってもよい。バッテリ１３１は、取り外し可能であってもよい。
【００１３】
制御部１４１は、携帯電子機器１１を全体制御する。制御部１４１は、各種制御を実行するための演算処理装置を有する。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。
【００１４】
電源管理部１４２は、バッテリ１３１の電力が効率よく利用され、長持ちするように、各部への電力供給を管理する。電源管理部１４２は、バッテリ１３１の充電を管理する機能を有してもよい。
【００１５】
ロック保持部１４３は、近接通信部１１０のロックを保持する。具体的には、ロック保持部１４３は、制御部１４１によって近接通信部１１０のロックを指示されると、ベースバンド処理部１１１に対して近接通信部１１０のロックを指示する信号の送出を開始する。そして、ロック保持部１４３は、制御部１４１によって近接通信部１１０のロック解除を指示されると、近接通信部１１０のロックを指示する信号の送出を停止する。制御部１４１からロック保持部１４３への指示は、例えば、近接通信機能の有効化または無効化を指示する利用者の操作に応じて実行される。
【００１６】
低電圧検出部１４４は、バッテリ１３１から供給される電力Ｂ１の電圧（以下、「バッテリ電圧」という）に基づいて、近接通信部１１０によるセキュア領域１２１および１２２へのアクセスを制御する。具体的には、低電圧検出部１４４は、バッテリ電圧が閾値より低いかを判定する。バッテリ電圧が閾値より低い場合、低電圧検出部１４４は、ベースバンド処理部１１１に対して近接通信部１１０のロックを指示する信号を送出する。バッテリ電圧が閾値より低くない場合、低電圧検出部１４４は、近接通信部１１０のロックを指示する信号をベースバンド処理部１１１に対して送出しない。低電圧検出部１４４がバッテリ電圧との比較に用いる閾値は、近接通信部１１０と、セキュア領域１２１および１２２とが安定して動作する電圧（以下、「必要動作電圧」という）である。
【００１７】
バッテリ１３１の残量が減少し、バッテリ電圧が必要動作電圧を下回ると、ベースバンド処理部１１１がセキュア領域１２１または１２２へ正常にアクセスできない等の障害が発生するおそれがある。バッテリ１３１の残量が減少しつつあるときに通信部１５１等の負荷が動作したときにも、バッテリ電圧が必要動作電圧を一時的に下回り、ベースバンド処理部１１１がセキュア領域１２１または１２２へ正常にアクセスできない等の障害が発生するおそれがある。バッテリ電圧が必要動作電圧を下回る前に低電圧検出部１４４が近接通信部１１０をロックすることにより、このような障害が発生する可能性を低くすることができる。
【００１８】
携帯電子機器１１が、電源がＯＦＦのときにも近接通信を行うことができるように構成される場合、電源がＯＦＦであっても、暗電流または近接通信の利用によってバッテリ１３１の電力が消費され、バッテリ電圧が必要動作電圧を下回ることがある。そのため、このような構成が採られる場合、低電圧検出部１４４は、電源がＯＦＦであっても、少なくともバッテリ電圧が必要動作電圧を下回るまでは動作するように構成される。
【００１９】
通信部１５１は、通信キャリアの基地局と無線通信を行う。通信部１５１がサポートする通信方式は、例えば、ＬＴＥ（Long Term Evolution）、Ｗ−ＣＤＭＡ（Wideband Code Division Multiple Access）、ＣＤＭＡ２０００、ＰＤＣ（Personal Digital Cellular）、ＧＳＭ（登録商標）（Global System for Mobile Communications）、ＰＨＳ（Personal Handy-phone System）、ＷｉＭＡＸ（Worldwide Interoperability for Microwave Access）等を含むがこれに限定されない。通信部１５１は、ＩＥＥＥ８０２．１１、Ｂｌｕｅｔｏｏｔｈ（登録商標）等の比較的近距離で通信が行われる通信方式をサポートしてもよい。通信部１５１は、複数の通信方式をサポートしてもよい。
【００２０】
カメラ１５２は、撮影範囲の画像を電子的に取得する。通信部１５１およびカメラ１５２は、バッテリ１３１の電力を消費する負荷である。
【００２１】
低損失レギュレータ（Low Drop Out regulator）１６１および１６２は、バッテリ１３１から供給される電力の電圧を、近接通信部１１０と、セキュア領域１２１および１２２とが動作する電圧へ変換する。低損失レギュレータ１６１は、変換後の電力Ｐ１を近接通信部１１０およびセキュア領域１２１へ供給する。低損失レギュレータ１６２は、変換後の電力Ｐ２をセキュア領域１２２へ供給する。低損失レギュレータ１６１および１６２による電力の供給は、検波回路１１２が信号を検出していることを示す信号（以下、「検出信号」という）が低損失レギュレータ１６１および１６２に入力されている間、すなわち、近接通信が可能な間に行われる。
【００２２】
遅延回路１７１は、検波回路１１２から送出される検出信号を遅延させる。遅延回路１７１によって遅延された検出信号は、低損失レギュレータ１６１および遅延回路１７２に出力される。遅延回路１７２は、遅延回路１７１から入力された検出信号をさらに遅延させる。遅延回路１７２によって遅延された検出信号は、低損失レギュレータ１６２に出力される。
【００２３】
このように遅延回路１７１が検出信号を遅延させることにより、近接通信部１１０およびセキュア領域１２１へ電力Ｐ１の供給が開始されるタイミングは、検波回路１１２が信号を検出するタイミングよりも僅かに遅れる。また、遅延回路１７２が検出信号を遅延させることにより、セキュア領域１２２へ電力Ｐ２の供給が開始されるタイミングは、さらに遅れる。
【００２４】
近接通信部１１０と、セキュア領域１２１および１２２とへの電力供給が開始されるとき、突入電流によりバッテリ電圧が一時的に低下することがある。このため、バッテリ電圧が必要動作電圧を一時的に下回り、ベースバンド処理部１１１がセキュア領域１２１または１２２へ正常にアクセスできない等の障害が発生するおそれがある。このような状況は、バッテリ１３１の残量が比較的低い場合に発生しやすい。
【００２５】
遅延回路１７２により、セキュア領域１２２への電力供給が開始されるタイミングを、近接通信部１１０およびセキュア領域１２１への電力供給が開始されるタイミングよりも遅らせることにより、突入電流を分散させることができる。さらに、遅延回路１７１により、近接通信部１１０およびセキュア領域１２１への電力供給が開始されるタイミングを、検波回路１１２で信号が検出されるタイミングよりも遅らせることにより、近接通信部１１０への電源の投入をより緩やかにすることができる。その結果、突入電流によるバッテリ電圧の低下が減少し、障害が発生する可能性を低くすることができる。
【００２６】
図２を参照しながら、低電圧検出部１４４の動作について説明する。図２は、低電圧検出部１４４の動作を示すフローチャートである。低電圧検出部１４４は、図２に示す動作を繰り返して実行する。
【００２７】
図２に示すように、バッテリ電圧が閾値より低い場合（ステップＳ１０１，Ｙｅｓ）、低電圧検出部１４４は、出力をＯＮにする（ステップＳ１０２）。低電圧検出部１４４の出力がＯＮになるということは、低電圧検出部１４４から近接通信部１１０に対してロックの指示がなされることを意味する。
【００２８】
バッテリ電圧が閾値より低くない場合（ステップＳ１０１，Ｎｏ）、低電圧検出部１４４は、出力をＯＦＦにする（ステップＳ１０３）。低電圧検出部１４４の出力がＯＦＦになるということは、低電圧検出部１４４からは、近接通信部１１０に対してロックの指示がなされないことを意味する。この場合でも、ロック保持部１４３から近接通信部１１０に対してロックの指示がなされることはありうる。
【００２９】
図３および図４を参照しながら、実施形態の効果について説明する。図３は、遅延回路１７２を備えない場合における近接通信部１１０の起動時の電圧降下の例を示す図である。図４は、遅延回路１７２を備える場合における近接通信部１１０の起動時の電圧降下の例を示す図である。図３および図４において、電流Ａは、低損失レギュレータ１６１から近接通信部１１０およびセキュア領域１２１へ供給される電力Ｐ１の電流値であり、電流Ｂは、低損失レギュレータ１６２からセキュア領域１２２へ供給される電力Ｐ２の電流値である。
【００３０】
図３に示す例では、突入電流が流れる間隔が約４μｓしかないため、電力Ｐ２の電圧が大きく低下している。この結果、ベースバンド処理部１１１は、電力Ｐ２が供給されるセキュア領域１２２へ正常にアクセスできない等の障害が発生する可能性がある。具体的な事例として、たとえば、セキュア領域１２２に供給される電力Ｐ２の電圧が低くなると、セキュア領域１２２からベースバンド処理部１１１に対して送出する信号の電圧も低くなってしまう可能性がある。したがって、セキュア領域１２２は、ベースバンド処理部１１１に信号を送出したつもりでも、当該信号の電圧が低いために、ベースバンド処理部１１１が検出できない可能性がある。このようにして、ベースバンド処理部１１１が、セキュア領域１２２へ正常にアクセスできないという障害が発生する可能性があった。
【００３１】
一方、図４に示す例では、遅延回路１７２により、突入電流が流れる間隔が８２．５μｓまで拡がっている。このため、電力Ｐ２の電圧低下は、図３の場合よりも低減されている。この結果、電力Ｐ２が供給されるセキュア領域１２２に関する障害が発生する可能性は低くなっている。
【００３２】
上述したように、携帯電子機器１１は、低電圧検出部１４４により、バッテリ電圧の低下を検出する。このため、携帯電子機器１１は、バッテリ電圧が必要動作電圧を下回るまでバッテリ１３１の残量が低下する前に、近接通信部１１０と、セキュア領域１２１および１２２とをロックし、障害が発生する可能性を低くすることができる。さらに、携帯電子機器１１は、遅延回路１７１および１７２により、近接通信部１１０と、セキュア領域１２１および１２２とに電力供給が開始される際の突入電流を分散させる。このため、携帯電子機器１１は、バッテリ電圧が必要動作電圧を下回るまでバッテリ１３１の残量が低下する前においても、バッテリ電圧の一時的な低下を抑制し、障害が発生する可能性を低くすることができる。
【００３３】
なお、上述の実施形態においては、電力Ｐ２の電圧が低下する場合について説明したが、実施形態はこれに限定されない。たとえば、同様の方法によって、電力Ｐ１の電圧の低下も低減することが可能となり、この場合、ベースバンド処理部１１１がセキュア領域１２２に対して送出する信号が、セキュア領域１２２によって検出できなくなる可能性を低くすることができる。
【００３４】
（実施形態２）
他の実施形態について説明する。図５は、携帯電子機器１２の構成を示すブロック図である。携帯電子機器１２は、セキュア領域（記憶部）１２３と、低損失レギュレータ１６３と、遅延回路１７３と、信号線Ｌ１とをさらに有する点において、携帯電子機器１１と相違する。
【００３５】
セキュア領域１２３は、近接通信部１１０が通信する際に用いる信号（近接通信によってやりとりされる情報）を記憶する。セキュア領域１２３に記憶される情報は、例えば、認証のための情報、決定のための情報等を含む。セキュア領域１２３に記憶される情報は、例えば、暗号化技術によって、安全に保護される。セキュア領域１２３は、近接通信専用の記憶デバイス、ＳＩＭカード、各種のアプリやデータの記憶に用いられる本体メモリ、取り外し可能なメモリカード等のいずれの場所に設けられてもよい。
【００３６】
低損失レギュレータ１６３は、バッテリ１３１から供給される電力の電圧をセキュア領域１２３が動作する電圧へ変換し、変換後の電力Ｐ３をセキュア領域１２３へ供給する。低損失レギュレータ１６３による電力の供給は、検波回路１１２から送出される検出信号が低損失レギュレータ１６３に入力されている間、すなわち、近接通信が可能な間に行われる。
【００３７】
遅延回路１７３へは、検波回路１１２から送出され、遅延回路１７１および遅延回路１７２によって遅延された検出信号が入力される。遅延回路１７３は、遅延回路１７２から入力された検出信号をさらに遅延させる。遅延回路１７３によって遅延された検出信号は、低損失レギュレータ１６３に出力される。このように遅延回路１７３が検出信号を遅延させることにより、セキュア領域１２３への電力Ｐ３の供給が開始されるタイミングは、セキュア領域１２２への電力Ｐ２の供給が開始されるタイミングよりも、さらに遅れる。
【００３８】
遅延回路１７３により、セキュア領域１２３への電力供給が開始されるタイミングを、セキュア領域１２２への電力供給が開始されるタイミングよりも遅らせることにより、突入電流を分散させることができる。すなわち、携帯電子機器１２においては、近接通信部１１０およびセキュア領域１２１への電力供給が開始された後、遅延回路１７２による遅延の分だけ遅れて、セキュア領域１２２への電力供給が開始される。その後、遅延回路１７３による遅延の分だけ遅れて、セキュア領域１２３への電力供給が開始される。
【００３９】
携帯電子機器１２においては、セキュア領域１２３が増えたために、近接通信を開始する際の突入電流の総量が増大しているが、遅延回路１７３により、増大した分の突入電流が発生するタイミングが遅延されている。このため、突入電流が分散し、突入電流によるバッテリ電圧の低下が低減されている。この結果、バッテリ電圧の一時的な低下による障害が発生する可能性が低くなっている。
【００４０】
このように、セキュア領域の数が増えても、遅延回路を増やすことにより、近接通信を開始する際の突入電流を分散させ、バッテリ電圧の一時的な低下による障害が発生する可能性を低くすることができる。
【００４１】
信号線Ｌ１は、制御部１４１による指示をベースバンド処理部１１１へ向けて伝送する。具体的には、携帯電子機器１２において、制御部１４１は、近接通信部１１０およびセキュア領域１２１〜１２３以外の負荷の動作状況を監視する。そして、バッテリ電圧の低下が生じる可能性が高い場合には、制御部１４１は、信号線Ｌ１を介して、ベースバンド処理部１１１に対して近接通信部１１０のロックを指示する信号を送出する。
【００４２】
例えば、図６に示すように、通信部１５１が基地局と通信を行うための動作には、動作周期がある。この動作周期は、待受状態のように通信の頻度が低い場合には長くなり、通話時のように大量の情報を送受信する場合には短くなる。通信部１５１のような負荷が、動作を開始する際には、突入電流が発生し、バッテリ電圧の一時的な低下による障害が発生する可能性がある。
【００４３】
そこで、制御部１４１は、通信部１５１のような負荷の動作周期が最低基準周期よりも短い場合には、ベースバンド処理部１１１に対して近接通信部１１０のロックを指示する信号を送出する。これにより、バッテリ電圧の一時的な低下による障害が発生する可能性を低くすることができる。
【００４４】
最低基準周期は、例えば、セキュア領域１２１〜１２３に対する情報の読み書きに要する時間よりも十分に長く設定される。このような設定により、セキュア領域１２１〜１２３に対する正常なアクセスができない障害が発生する可能性を低くすることができる。最低基準周期は、監視対象の負荷毎に異なってもよい。最低基準周期と比較される動作周期は、直近の所定回数の動作周期の平均値、中央値、最大値、最小値等の統計的な値であってもよい。
【００４５】
制御部１４１は、動作周期に基づいて負荷が次に動作するタイミングを予測し、現在から予測したタイミングまでの期間が閾値よりも短い場合に、ベースバンド処理部１１１に対して近接通信部１１０のロックを指示する信号を送出してもよい。閾値は、例えば、セキュア領域１２１〜１２３に対する情報の読み書きに要する時間よりも十分に長い時間である。すなわち、制御部１４１は、負荷の動作開始による突入電流の発生までに十分に時間的な余裕があると判定される場合にのみ、近接通信部１１０の動作を許してもよい。このような構成により、バッテリ電圧の一時的な低下による障害が発生する可能性をさらに低くすることができる。
【００４６】
図７を参照しながら、制御部１４１の動作について説明する。図７は、制御部１４１の動作を示すフローチャートである。制御部１４１は、図７に示す動作を繰り返して実行する。制御部１４１は、図７に示す動作と並行して、他の動作を実行してもよい。
【００４７】
図７に示すように、動作周期が最低基準周期より短い場合（ステップＳ２０１，Ｙｅｓ）、制御部１４１は、ベースバンド処理部１１１に対する出力をＯＮにする（ステップＳ２０２）。制御部１４１がベースバンド処理部１１１に対する出力をＯＮにするということは、制御部１４１から近接通信部１１０に対してロックの指示がなされることを意味する。
【００４８】
動作周期が最低基準周期より短くない場合（ステップＳ２０１，Ｎｏ）、制御部１４１は、ベースバンド処理部１１１に対する出力をＯＦＦにする（ステップＳ２０３）。制御部１４１がベースバンド処理部１１１に対する出力をＯＦＦにするということは、制御部１４１からは、近接通信部１１０に対してロックの指示がなされないことを意味する。この場合でも、ロック保持部１４３または低電圧検出部１４４から近接通信部１１０に対してロックの指示がなされることはありうる。
【００４９】
上述したように、セキュア領域の数に応じて遅延回路を増やすことにより、セキュア領域が増えても、突入電流を分散させ、障害が発生する可能性を低くすることができる。また、制御部１４１は、近接通信部１１０およびセキュア領域１２１〜１２３以外の負荷の動作状況を監視し、動作周期が最低基準周期よりも短い場合に近接通信部１１０をロックする。このような制御によっても、バッテリ電圧の一時的な低下を抑制し、障害が発生する可能性を低くすることができる。
【００５０】
本出願の開示する実施形態は、発明の要旨及び範囲を逸脱しない範囲で変更することができる。さらに、本出願の開示する実施形態及びその変形例は、適宜組み合わせることができる。
【００５１】
また、上述の実施形態においては、セキュア領域１２１（Ｐ１）、セキュア領域１２２（Ｐ２）、セキュア領域１２３（Ｐ３）の順番で電力が供給されるが、実施形態はこれに限定されない。
【００５２】
たとえば、遅延回路１７１、遅延回路１７２および遅延回路１７３が、図５に示すように別々のディスクリート半導体によって構成されずに信号出力部を3つ備える一つの遅延制御部によって構成され、さらに、機器２０が携帯電子機器１２と近接通信を開始する際に、携帯電子機器１２に対して、セキュア領域１２１、セキュア領域１２２、セキュア領域１２３のうち、いずれのセキュア領域と通信をしたいかを要求する構成であってもよい。
【００５３】
このように構成されることによって、いずれのセキュア領域と通信したいかの要求を、機器２０からベースバンド処理部１１１を介して受け付けた遅延制御部は、要求に該当するセキュア領域へ電力を供給する低損失レギュレータに最初に信号を出力する。
【００５４】
つまり、たとえば、機器２０がセキュア領域１２３に記憶された情報に基づく通信を、近接通信が開始される際に要求してきた場合、当該要求に応じて、遅延制御部は、低損失レギュレータ１６３に最初に信号を出力することによって、セキュア領域１２１、セキュア領域１２２よりも早いタイミングで、セキュア領域１２３に電力（Ｐ３）を供給することが出来る。
【００５５】
このようにして、機器２０からの要求に応じて、セキュア領域への電力の供給の順番、換言すれば電力を供給する遅延の順番を、遅延制御部が変更可能としてもよい。
【００５６】
上記の実施形態では、携帯電子機器の例として、携帯電話について説明したが、添付の請求項に係る装置は、携帯電話に限定されない。添付の請求項に係る装置は、携帯電話以外の携帯電子機器であってもよい。携帯電子機器は、例えば、タブレット、携帯型パソコン、デジタルカメラ、メディアプレイヤ、電子書籍リーダ、ナビゲータ、及びゲーム機を含むが、これらに限定されない。
【００５７】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００５８】
１１、１２  携帯電子機器
１１０  近接通信部
１１１  ベースバンド処理部
１１２  検波回路
１１３  アンテナ
１１４  スイッチ
１２１〜１２３  セキュア領域（記憶部）
１３１  バッテリ
１４１  制御部
１４２  電源管理部
１４３  ロック保持部
１４４  低電圧検出部
１５１  通信部
１５２  カメラ
１６１〜１６３  低損失レギュレータ
１７１〜１７３  遅延回路
２０  機器
【図１】
2014082644.tif 000003
【図２】
2014082644.tif 000004
【図３】
2014082644.tif 000005
【図４】
2014082644.tif 000006
【図５】
2014082644.tif 000007
【図６】
2014082644.tif 000008
【図７】
2014082644.tif 000009